(57)【特許請求の範囲】
【請求項１】
筒状の回転シリンダと、
前記回転シリンダ内部に配されたアームと、
前記アームによって支持された所定の基台と、
前記所定の基台に取り付けられ、前記回転シリンダの周囲を搬送される磁気テープに対し、情報の記録又は情報の読取りの少なくとも一方を行う磁気ヘッドと、を備え、
前記磁気ヘッドは、前記アームによって前記回転シリンダの内側へ向かって揺動可能に支持されており、
前記基台における前記磁気テープと対向する面に、圧電材料を用いたヘッド突出量コントローラが設けられ、
前記ヘッド突出量コントローラによって、前記磁気ヘッドは前記回転シリンダの内側へ向かって移動させられることを特徴とするロータリヘッド。
【請求項２】
前記回転シリンダに開口部が形成されており、
前記磁気ヘッドの少なくとも一部は、前記開口部から前記回転シリンダの周囲に突出していることを特徴とする請求項１記載のロータリヘッド。
【請求項３】
前記アームは、可撓性を有することを特徴とする請求項１又は請求項２記載のロータリヘッド。
【請求項４】
前記磁気ヘッドが前記磁気テープから読取った情報の出力の大きさに基づいて、前記ヘッド突出量コントローラの前記圧電材料に印加する電圧値を調整することを特徴とする請求項１〜請求項３のうち何れか一項記載のロータリヘッド。
【請求項５】
前記磁気ヘッドは、磁気抵抗効果によって前記磁気テープの情報を読取る磁気抵抗効果型素子を含むことを特徴とする請求項１〜請求項４のうち何れか一項記載のロータリヘッド。
【請求項６】
前記磁気ヘッドは、インダクティブ型磁気ヘッドであることを特徴とする請求項１〜請求項５のうち何れか一項記載のロータリヘッド。
【請求項７】
請求項１〜請求項６のうち何れか一項記載のロータリヘッドと、前記ロータリヘッドの周囲に磁気テープを搬送する搬送機構と、を備えることを特徴とする磁気記録再生装置。
【発明の詳細な説明】
【０００１】
【発明の属する技術分野】
本発明は、磁気テープへの情報の記録又は再生に用いられるロータリヘッド、及びこれを備えた磁気記録再生装置に関するものである。
【０００２】
【従来の技術】
オーディオデッキ、ビデオデッキ、及びハンディカムカメラ等の磁気テープを記録媒体とした磁気記録再生装置においては、高記録密度化を図るために、ヘリカルスキャニング方式に対応したロータリヘッドが採用されている。このようなロータリヘッドにおいては、従来、磁気テープへの情報の記録又は情報の読取りのいずれにも適用できるインダクティブ型の磁気ヘッド、或いは、インダクティブ型磁気ヘッドよりも高感度な情報読取りを行える磁気抵抗効果型磁気ヘッド（以下、「ＭＲヘッド」ともいう。）が利用されている。
【０００３】
インダクティブ型の磁気ヘッドにおいては、磁気テープとの摺動面に異物等が付着することで記録性能及び再生性能が劣化するのを防止するために、磁気テープは磁気ヘッドに摺動するように搬送される。この摺動に伴う摩擦によって磁気ヘッド表面がある程度削られ、常に異物のない面が露出するようになっていた。
【０００４】
【発明が解決しようとする課題】
しかしながら、上記従来の技術には、次のような課題がある。すなわち、従来のロータリヘッドでは、上述のようにインダクティブ型磁気ヘッドの異物を除去すべく、磁気テープを磁気ヘッドに摺動するように搬送させていたが、磁気テープから受ける意図しない衝撃力や磁気テープとの接触から発生する静電気（ESD; Electro State Discharge）や摩擦熱(TA; Thermal Asperity)によって磁気ヘッドが破損したり、或いは、摺動に伴う摩擦力によって磁気ヘッドが磨耗するという問題があった。
【０００５】
一方、ＭＲヘッドを用いたロータリヘッドとしては、例えば特開平１１−２５９８３４号公報に記載されたものがある。同公報には、ＭＲヘッドの磨耗を抑える技術が開示されているが、検討の余地が多々残っている。
【０００６】
本発明は、磁気ヘッドの損傷を低減できるロータリヘッド及びこれを備えた磁気記録再生装置を提供することを目的とする。
【０００７】
【課題を解決するための手段】
上記目的を達成するために、本発明のロータリヘッドは、筒状の回転シリンダと、上記回転シリンダ内部に配されたアームと、上記アームによって支持された所定の基台と、上記所定の基台に取り付けられ、上記回転シリンダの周囲を搬送される磁気テープに対し、情報の記録又は情報の読取りの少なくとも一方を行う磁気ヘッドと、を備え、上記磁気ヘッドは、上記アームによって上記回転シリンダの内側へ向かって揺動可能に支持されており、上記基台における上記磁気テープと対向する面に、圧電材料を用いたヘッド突出量コントローラが設けられ、上記ヘッド突出量コントローラによって、上記磁気ヘッドは上記回転シリンダの内側へ向かって移動させられることを特徴とする。
本発明のロータリヘッドによれば、磁気テープに回転シリンダ向きの力が加えられたような場合であっても、磁気ヘッドが回転シリンダの内側、すなわち磁気テープから遠ざかる側に向かって移動させられるため、磁気テープから過度の衝撃又は摩擦を受ける事態を回避することができる。
また、本発明のロータリヘッドにおいては、磁気ヘッドを揺動可能に支持するアームを設けることで、磁気ヘッドを回転シリンダの内側に向かって容易に移動させることができる。
さらに、本発明のロータリヘッドにおいては、ヘッド突出量コントローラの圧電材料を変位させて基台を反らせることで、磁気ヘッドを回転シリンダの内側に向かって容易に移動させることができる。
【００１４】
上記アームを備える構成を採るロータリヘッドにおいて、アームが可撓性を有するようにすれば、簡易な構成で磁気ヘッドを揺動させることが可能となる。
【００１５】
また、上記アームを備える構成を採るにあたって、上記回転シリンダに開口部が形成されており、上記磁気ヘッドの少なくとも一部は、上記開口部から上記回転シリンダの周囲に突出しているようにしてもよい。
【００２１】
また、ヘッド突出量コントローラを利用する上記の各ロータリヘッドにおいて、上記磁気ヘッドが上記磁気テープから読取った情報の出力の大きさに基づいて、上記ヘッド突出量コントローラの上記圧電材料に印加する電圧値を調整することが好適である。
【００２２】
この発明は、磁気テープと磁気ヘッドの距離が近づくに連れて磁気ヘッドの読取出力が大きくなり、遠ざかるに連れて読取出力が小さくなるという現象を利用したものである。磁気テープからの読取情報の出力が大きい場合は、磁気テープと磁気ヘッドとの間における摩擦や衝撃により、磁気ヘッドが損傷するおそれがある。このような場合に、圧電材料に印加する電圧値を大きくして磁気ヘッドの変位量を多くすることで、磁気ヘッドが磁気テープから遠ざかって損傷を回避できる。
【００２３】
また、本発明のロータリヘッドにおいて、上記磁気ヘッドは、磁気抵抗効果によって上記磁気テープの情報を読取る磁気抵抗効果型素子を含むことを特徴としてもよい。
【００２４】
磁気抵抗効果型素子を利用した磁気ヘッドにはインダクティブ型の磁気ヘッドよりも高感度というメリットがある。ところが、磁気抵抗効果型素子を利用した磁気ヘッドは、インダクティブ型磁気ヘッドのようにその表面が磁気テープとの摩擦により削られることは好ましくない。特に、磁気抵抗効果素子が削られると、磁気テープとの対向面からの素子の奥行きの距離（いわゆるＭＲハイト）が変わり、磁気ヘッドの特性が変化するという問題が生じる。そこで、本発明のように、磁気テープに回転シリンダ向きの力が加えられたような場合であっても、磁気ヘッドが回転シリンダの内側に向かって移動させられるように構成することで、磁気抵抗効果型素子が磁気テープから過度の衝撃又は摩擦を受ける事態を回避し、磁気ヘッドの読出し特性が劣化するのを防止できる。
【００２５】
また、上記磁気ヘッドは、インダクティブ型磁気ヘッドであってもよい。インダクティブ型磁気ヘッドは、一般的にその表面が磁気テープとの摩擦によって削られることが前提となっているが、回転シリンダの内側へ移動させることで、磁気テープから過度の衝撃又は摩擦を受ける事態を回避することができる。
【００２６】
本発明の磁気記録再生装置は、上記ロータリヘッドのいずれかと、上記ロータリヘッドの周囲に磁気テープを搬送する搬送機構と、を備えることを特徴としている。上述のようにロータリヘッドにおいては、磁気ヘッドが損傷しにくいように構成されているため、該ロータリヘッドを備えた磁気記録再生装置は、高密度記録、高転送レートに適したものとなっている。
【００２７】
【発明の実施の形態】
以下、添付図面を参照して、本発明に係るロータリヘッド及び磁気記録再生装置の好適な実施形態について詳細に説明する。尚、同一要素には同一符号を用いるものとし、重複する説明は省略する。
【００２８】
［第１実施形態］
図１は、本実施形態の磁気記録再生装置１を示す概略図である。磁気記録再生装置１は、記録媒体である磁気テープ１１に対して情報の記録又は情報の読出しを行うものであり、例えばサーババックアップ用のデータストレージ、ハンディカムカメラ、ビデオデッキ、及びオーディオデッキ等が該当する。磁気記録再生装置１は、複数の磁気ヘッド２０ａ〜２０ｄが搭載されたロータリヘッド１０と、このロータリヘッドの周囲に磁気テープを搬送する搬送機構６０と、装置全体の動作を統括する制御部７０とを備えている。
【００２９】
搬送機構６０は、磁気テープ１１の走行の上流から順に、磁気テープ１１をロータリヘッド１０へ向けて供給する供給ローラ６１、ガイドローラ６２、磁気テープ１１がロータリヘッド１０に巻きつくような位置に配されたガイドローラ６３，６４、ガイドローラ６５、及び磁気テープ１１を巻き取る巻取ローラ６６を備える。
【００３０】
制御部７０は、搬送機構６０の各ローラの駆動とロータリヘッド１０の回転とのタイミング調整、ロータリヘッド１０の磁気ヘッドに対する情報記録及び情報読取の指示、及び、磁気ヘッドが読取った情報の信号処理等の他、公知の磁気記録再生装置１で行われる様々の機能を実行するものである。
【００３１】
図２は、ロータリヘッド１０の斜視図である。ロータリヘッド１０は、いわゆるヘリカルスキャン方式に対応しており、円筒状の回転シリンダ１２と、この下方同軸上に位置する固定シリンダ１４と、固定シリンダ１４内に配され回転シリンダ１２を回転させる駆動モータ１６と、を主として備える。尚、本実施形態では固定シリンダ１４上に回転シリンダ１２が位置するタイプのロータリヘッドとしているが、各シリンダの形態はこれには限られない。
【００３２】
固定シリンダ１４は、磁気テープ１１に対する情報の記録再生時に、回転せずに静止状態に保たれる。固定シリンダ１４の周囲には、段差によって規定されたテープガイド１５が形成されている。記録再生時に、磁気テープ１１はこのテープガイド１５に沿って、図中における矢印Ａ方向に走行することになる。尚、回転シリンダ１２は、駆動モータ１６によって、矢印Ｂ方向に所定の回転数で回転させられる。
【００３３】
次に、図３及び図４を参照して、ロータリヘッド１０をより詳細に説明する。図３は、回転シリンダ１２を図２におけるIII-III方向から見た図であり、図４は、ロータリヘッド１０に設けられた一つの磁気ヘッド２０ａ近傍の拡大図である。ロータリヘッド１０には、２つの記録専用のインダクティブ型磁気ヘッド２０ｂ，２０ｄと、２つの再生専用の磁気抵抗効果型磁気ヘッド（以下、「ＭＲヘッド」ともいう）２０ａ，２０ｃとが円周方向に交互に設けられているが、各磁気ヘッド２０ａ〜２０ｄの配列はこれには限られない。また、各磁気ヘッド２０ａ〜２０ｄは、例えばアルティック（Ａｌ2Ｏ3・ＴｉＣ）で形成された略直方体形状の基台２２に取り付けられている。
【００３４】
インダクティブ型磁気ヘッド２０ｂ，２０ｄとしては公知のものを採用することができ、例えば磁気ギャップを挟んだ一対の磁極に銅のコイルを巻き付けたものを利用できる。コイルに高周波電流を流して磁界を発生させることで、磁気テープ１１に情報を記録することができる。インダクティブ型磁気ヘッド２０ｂ，２０ｄは、その情報記録面が搬送中のテープ１１と対向するように、基台２２に取り付けられている。
【００３５】
ＭＲヘッド２０ａ，２０ｃは、いわゆる磁気抵抗効果を利用したものであり、具体的には、異方性磁気抵抗効果を利用するＡＭＲ（Anisotropy Magneto Resistive）素子、巨大磁気抵抗効果を利用するＧＭＲ（Giant Magneto Resistive）素子、トンネル接合で生じる磁気抵抗効果を利用するＴＭＲ（Tunnel-type Magneto Resistive）素子等を含んで構成されている。ＭＲヘッドは、インダクティブ型磁気ヘッドよりも高感度の情報再生を実現できる。ＭＲヘッド２０ａ，２０ｃは、その情報読取面が搬送中のテープ１１と対向するように、基台２２に取り付けられている。
【００３６】
また、図示は省略するが、ロータリヘッド１０には、インダクティブ型磁気ヘッド２０ｂ，２０ｄへ記録情報を伝送するための配線、及び、ＭＲヘッド２０ａ，２０ｃで読取った情報を伝送するための配線が施されている。これらの配線は、図１に示した制御部７０に接続してもよいし、或いは、固定シリンダ１４内に別途設ける制御装置等に接続してもよい。
【００３７】
磁気ヘッド２０ａ〜２０ｄが取り付けられた基台２２は、回転シリンダ１２の内部に配された、例えばＳＵＳ３０４のようなステンレススチール製のサスペンションアーム３０によって支持されている。サスペンションアーム３０は、回転シリンダ１２の内周面に取り付けられた支持台２６によって支持されている。サスペンションアーム３０は可撓性を有しており、磁気ヘッド２０ａ〜２０ｄを矢印Ｃ方向に揺動できるように支持している。より詳しくは、走行中の磁気テープ１１から受ける何らかの衝撃による押圧力や、磁気テープ１１の走行と回転シリンダ１２の回転とにより生じる空気流によって、磁気ヘッド２０ａ〜２０ｄが回転シリンダ１２の内側に向かって移動するように、サスペンションアーム３０の材料選択、荷重設定、及びサスペンションの形状調整等が行われる。基台２２には、上記空気流によって磁気ヘッドと磁気テープ１１との接触力を調整しやすくなるように、磁気テープと対向する面に溝２２ａが形成されている（図４参照）。尚、このようなサスペンションアーム３０として、ハードディスク装置に利用されているものを適用することも可能である。
【００３８】
回転シリンダ１２の端縁には、９０度の角度間隔で４つの開口部２４が形成されており、各開口部２４からそれぞれ磁気ヘッド２０ａ〜２０ｄが磁気テープ１１と対面できるようになっている。開口部２４は切欠き状のものとなっているが、この他、回転シリンダ１２の周面を貫通した孔としてもよい。尚、サスペンションアーム３０に外力を加えない状態で、インダクティブ型磁気ヘッド２０ｂ，２０ｄの情報記録面及びＭＲヘッド２０ａ，２０ｃの情報読取面が回転シリンダ１２の外周面から多少突出するように、アーム３０の傾き及びサスペンションの強度を調整することが好ましい。そして、回転シリンダ１２の外周面から突出した各磁気ヘッド２０ａ〜２０ｄは、少なくとも回転シリンダ１２が停止している際に、図３に示すように磁気テープ１１と接触することになる。
【００３９】
次に、本実施形態のロータリヘッド及び磁気記録再生装置の動作を説明する。磁気記録再生装置によって情報を再生する場合を例に採る。再生指示を受けた制御部７０は、供給ローラ６１、巻取ローラ６６、及びロータリヘッド１０の回転シリンダ１２を回転させ始める。すると、磁気テープ１１の走行と回転シリンダ１２の回転とにより、両者の間に空気流が発生する。そして、回転シリンダ１２の停止時には各磁気ヘッド２０ａ〜２０ｄは磁気テープ１１と強く接触していたが（図３参照）、この空気流によって、基台２２及び各磁気ヘッド２０ａ〜２０ｄが回転シリンダ１２の内側に向かって移動させられる。この際、サスペンションアーム３０は、基台２２が接続された先端側が磁気テープ１１から遠ざかる方向（図３における矢印Ｃの回転シリンダ１２の中心に向かう方向）に撓んだ状態になっている。サスペンションアーム３０が可撓性を有するため、基台２２を回転シリンダ１２の内側へ容易に移動させることができる。
【００４０】
このように、空気流によって磁気ヘッド２０ａ〜２０ｄを回転シリンダ１２の内側へ向かって引っ込ませることにより、各磁気ヘッド２０ａ〜２０ｄが磁気テープ１１から過度の衝撃又は摩擦を受ける事態を回避することができる。この際、磁気ヘッド２０ａ〜２０ｄは必ずしも回転シリンダ１２の内部空間まで引っ込む必要はなく、磁気テープ１１との接触力が低減できる程度に移動すればよい。また、インダクティブ型磁気ヘッド２０ｂ，２０ｄによる情報記録及びＭＲヘッド２０ａ，２０ｃによる情報読取を高感度で行うことを考慮すると、磁気ヘッド２０ａ〜２０ｄが磁気テープ１１から完全に離隔するよりも、僅かながら接触していることが好適である。
【００４１】
また、上記の空気流の他に、磁気ヘッド２０ａ〜２０ｄは磁気テープ１１から何らかの衝撃を受けることがある。このように基台２２及び磁気ヘッド２０ａ〜２０ｄが衝撃を受けた場合、サスペンションアーム３０が撓んで各磁気ヘッドが回転シリンダの内側に引っ込む。これにより、各磁気ヘッド２０ａ〜２０ｄが受ける衝撃力を緩和できるため、磁気ヘッドの損傷を防止できる。
【００４２】
上記のように、ロータリヘッド１０では、再生用の磁気ヘッドとしてＭＲヘッド２０ａ，２０ｃを利用している。ＭＲヘッドにはインダクティブ型の磁気ヘッドよりも高感度というメリットがある。ところが、一般的にＭＲヘッドは、インダクティブ型磁気ヘッドと異なり、その表面が磁気テープとの摩擦により削られることは好ましくない。特に、ＭＲヘッドが削られると、いわゆるＭＲハイトが変わって磁気ヘッドの特性が変化してしまう。つまり、ＭＲヘッドにおいては、インダクティブ型磁気ヘッドよりも磁気テープとの接触力低減が必要となり、本実施形態の効果は、インダクティブ型磁気ヘッド２０ｂ，２０ｄはもちろんのこと、ＭＲヘッド２０ａ，２０ｃにおいて更に有効といえる。すなわち、本実施形態により、表面が研削されることを前提としていないＭＲヘッド２０ａ，２０ｃの磨耗を防止でき、ＭＲハイト値が変わることも抑止できる。
【００４３】
尚、本実施形態では撓みやすいサスペンションアーム３０を利用しているが、磁気ヘッドを回転シリンダ１２の内側へ向かって移動させるための構成はこれには限られない。例えば、剛性が高いアームを所定の軸周りに回動自在にすることで、磁気ヘッドを揺動できるようにしてもよい。更に、磁気ヘッド及び基台を片持ち梁のようにアームで支持するのではなく、コイルバネ、スプリング等の弾性体で支持してもよい。つまり、基台又は磁気ヘッドに外力が加えられた場合に、磁気ヘッドが回転シリンダ１２の内側に向かって移動できるよう支持されていれば、如何なる構成でも採用することができる。もっとも、本実施形態のように片持ち梁のようにアームによって磁気ヘッドを揺動可能に支持する構成を採れば、簡易な構成により、磁気ヘッドと磁気テープとの過度の接触を回避できる。
【００４４】
［第２実施形態］
次に、図５〜図７を参照して、本発明の第２実施形態を説明する。本実施形態が第１実施形態と異なるのは、磁気ヘッドを回転シリンダ１２の内側へ向けて移動させるために、圧電材料を用いたヘッド突出量コントローラを利用している点である。磁気記録再生装置については、図１と同様のものを適用することができる。
【００４５】
図５は、本実施形態のロータリヘッドにおけるＭＲヘッド２０ａ近傍の拡大図である。同図に示すように、基台２２の図中上面側（磁気テープ１１に対向する面側）には、圧電材料を備えたヘッド突出量コントローラ４０が埋め込まれている。ヘッド突出量コントローラ４０は、電圧を印加することで反るバイモルフ型となっており、圧電材料としてＰＺＴを利用した二つの圧電体層４１，４２が設けられている。図中白抜き矢印で示すように、圧電体層４１の分極方向は図中上向きで、圧電体層４２の分極方向は図中下向きとなっている。尚、ＰＺＴとは、チタン酸鉛（PbTiO3）とジルコン酸鉛（PbZrO3）を混合したセラミックスであるが、この他にも公知の種々の圧電材料を利用することが可能である。
【００４６】
圧電体層４１の底面には電極板４３、圧電体層４１と圧電体層４２との間には電極板４４、圧電体層４２の上面には電極板４５が配されており、これらの電極板４３，４４，４５には、制御部７０内の電源部７２によって電圧が印加される。また、最上段の電極板４５にはプラスの電圧が印加され、中央の電極板４４はグランドにされ、最下段の電極板４３にはマイナスの電圧が印加されるようになっている。
【００４７】
制御部７０には、ＭＲヘッド２０ａで読取った磁気テープの情報を処理する読取情報処理部７４が内蔵されており、ＭＲヘッド２０ａと読取情報処理部７４とは配線で接続されている。ＣＰＵ７６は制御部７０の処理を統括するものであるが、ＣＰＵ７６は、読取情報処理部７４で読取った情報の大きさが所定の基準値を超えた場合に、電源部７２を作動させてヘッド突出量コントローラ４０に電圧を印加するように設定されている。上記基準値は、ＣＰＵ７６に格納させてもよいし、読取情報処理部７４或いは他のメモリに格納させてもよい。
【００４８】
次に、本実施形態におけるロータリヘッド及び磁気記録再生装置の動作説明をする。ＭＲヘッド２０ａで磁気テープの情報を読取っている際に、磁気テープとＭＲヘッド２０ａの接触力が強すぎると、読取情報処理部７４において、ＭＲヘッド２０ａにおける読取情報の大きさが所定の基準値を超えたとして判定されることがある。このような場合に、ＣＰＵ７６は電源部７２を作動させることで、電極板４５にプラス電圧を印加して、電極板４４をグランドにし、電極板４３にマイナス電圧を印加する。
【００４９】
各電極板４３〜４５にこのように電圧が印加されると、分極方向との関係より、図６に示すように上側の圧電体層４２が図中左右方向に伸び、下側の圧電体層４１が左右方向に縮むことになる。その結果、基台２２（説明の都合上、破線で示す）が矢印Ｄに示すように反り、ＭＲヘッド２０ａが回転シリンダの内側すなわち磁気テープから遠ざかる方向に移動させられる。そして、ＭＲヘッド２０ａが磁気テープ１１からの距離又は荷重を一定に保つことで損傷を回避できる。
【００５０】
尚、本実施形態では、ＭＲヘッドの出力値が所定の基準値を超えた場合に、ヘッド突出量コントローラ４０の各圧電体層４１，４２を変位させるように構成しているが、ＭＲヘッドの出力値に比例してヘッド突出量コントローラ４０に印加する電圧値を調整するようにしてもよい。また、ここではＭＲヘッドを例にして説明したが、記録用のインダクティブ型磁気ヘッドについても、ヘッド突出量コントローラの変位で移動させることが可能である。また、ヘッド突出量コントローラ４０を利用する場合は、サスペンションアームは必ずしも必要ではなく、ヘッド突出量コントローラ４０の変位により磁気ヘッド２０ａ〜２０ｄが回転シリンダの内側へ向かって移動できるように支持されていればよい。
【００５１】
次に、図７を参照して、本実施形態の変形例を説明する。本例が図５に示した形態と異なるのは、ヘッド突出量コントローラ４０の配置場所である。本例では、ヘッド突出量コントローラ４０は、基台２２とサスペンションアーム３０との間に設けられている。このような構成を採用した場合も、ヘッド突出量コントローラ４０の図６に示したような変位により、磁気ヘッド２０ａ〜２０ｄを回転シリンダの内側へ向かって移動させることが可能である。その結果、磁気テープとの過度の接触で生じる磁気ヘッドの損傷を低減させることができる。更に本例では、基台２２とサスペンションアーム３０との間にヘッド突出量コントローラ４０を設けているため、ヘッド突出量コントローラ４０が磁気テープとの接触で破損するという事態を回避できる。
【００５２】
また、第２実施形態では、ヘッド突出量コントローラ４０の圧電材料を、電気的エネルギを機械的エネルギに変換する手段として使用している。これに対して、圧電材料は、応力が加えられることで電圧を生じるという、機械的エネルギを電気的エネルギに変換する機能をも備えている。この後者の変換機能を利用すれば、ヘッド突出量コントローラ４０が磁気テープ１１と接するように配置することで、磁気テープ１１との接触圧を直接測定することが可能となる。そして、このようにして測定された接触圧に基づいて、磁気ヘッドを支持するアームを回転シリンダの内側に移動させれば、磁気ヘッドの損傷を抑制することができる。
【００５３】
更にこの場合、基台２２の磁気テープ１１と対向する面側に、接触圧を測定するための第１の圧電部品を設け、反対側（サスペンションアーム側）に磁気ヘッドを移動させるための第２の圧電部品を設けてもよい。この場合、圧電部品によって、接触圧の測定から磁気ヘッドの移動までを実現することができる。
【００５４】
以上、本発明者らによってなされた発明を実施形態に基づき具体的に説明したが、本発明は上記実施形態に限定されるものではない。例えば、ロータリヘッドに設ける磁気ヘッドは、再生用のＭＲヘッドと記録用のインダクティブ型磁気ヘッドとを一体的に備えた複合型ヘッドであってもよい。
【００５５】
【発明の効果】
以上説明したように、本発明に係るロータリヘッド及び磁気記録再生装置によれば、磁気ヘッドが回転シリンダの内側に向かって移動できるように構成されているため、磁気テープとの過度の接触に伴う磁気ヘッドの損傷を低減できる。
【図面の簡単な説明】
【図１】本発明に係る磁気記録再生装置の一実施形態の概略構成図である。
【図２】本発明に係るロータリヘッドの第１実施形態の斜視図である。
【図３】図２に示したロータリヘッドのIII-III方向の図である。
【図４】ＭＲヘッド近傍の拡大図である。
【図５】本発明に係るロータリヘッドの第２実施形態を示す図である。
【図６】図５に示したロータリヘッドのヘッド突出量コントローラが変位した状態を示す図である。
【図７】図５に示したロータリヘッドの変形例である。
【符号の説明】
１・・・磁気記録再生装置、１０・・・ロータリヘッド、１１・・・磁気テープ、１２・・・回転シリンダ、１４・・・固定シリンダ、１５・・・テープガイド、１６・・・駆動モータ、２０ａ，２０ｃ・・・ＭＲヘッド（磁気ヘッド）、２０ｂ，２０ｄ・・・インダクティブ型磁気ヘッド（磁気ヘッド）、２２・・・基台、２２ａ・・・溝、２４・・・開口部、２６・・・支持台、３０・・・サスペンションアーム（アーム）、４０・・・ヘッド突出量コントローラ、４１，４２・・・圧電体層、４３，４４，４５・・・電極板、６０・・・搬送機構、６１・・・供給ローラ、６２〜６５・・・ガイドローラ、６６・・・巻取ローラ、７０・・・制御部、７２・・・電源部、７４・・・読取情報処理部、７６・・・ＣＰＵ。
【図１】
0003678708.tif 000002
【図２】
0003678708.tif 000003
【図３】
0003678708.tif 000004
【図４】
0003678708.tif 000005
【図５】
0003678708.tif 000006
【図６】
0003678708.tif 000007
【図７】
0003678708.tif 000008